(57)【要約】  記録テープ（Ｔ）と、記録テープ（Ｔ）に接続され、記録テープ（Ｔ）に対して情報の書き込み及び読み出しの少なくとも一方を行うヘッド（６０）のテープ幅方向における一部を露出させるための露出部（３４）が形成された露出用テープ（３２）と、を備えたテープ部材（３１）と、テープ部材（３１）の自由端がそれぞれ接続されるとともに、テープ部材（３１）を繰り出し及び巻き取り可能に保持した一対のリール（１０、２０）と、を有するテープ記録媒体（３０）である。
2013161965.tif 000002
【特許請求の範囲】
【請求項１】
記録テープと、前記記録テープに接続され、該記録テープに対して情報の書き込み及び読み出しの少なくとも一方を行うヘッドのテープ幅方向における一部を露出させるための露出部が形成された露出用テープと、を備えたテープ部材と、
前記テープ部材の自由端がそれぞれ接続されるとともに、該テープ部材を繰り出し及び巻き取り可能に保持した一対のリールと、
を有するテープ記録媒体。
【請求項２】
前記露出部は、前記ヘッドのテープ幅方向における両端部を露出させる切欠部で構成されている請求項１に記載のテープ記録媒体。
【請求項３】
前記露出部は、前記ヘッドのテープ幅方向における中央部を露出させる開口部で構成されている請求項１に記載のテープ記録媒体。
【請求項４】
前記露出部は、前記ヘッドのテープ幅方向における両端部を露出させる切欠部と、該切欠部とテープ長手方向にずれて形成され、前記ヘッドのテープ幅方向における中央部を露出させる開口部と、で構成されている請求項１に記載のテープ記録媒体。
【請求項５】
前記露出用テープは、前記記録テープよりも厚く形成されている請求項１〜請求項４の何れか１項に記載のテープ記録媒体。
【請求項６】
前記露出用テープは、前記記録テープよりも弾性率が高い材料で構成されている請求項１〜請求項５の何れか１項に記載のテープ記録媒体。
【請求項７】
前記露出用テープの両端に前記記録テープが接続されている請求項１〜請求項６の何れか１項に記載のテープ記録媒体。
【請求項８】
前記露出用テープと前記記録テープとの間に保護テープが接続されている請求項１〜請求項７の何れか１項に記載のテープ記録媒体。
【請求項９】
装置本体に取り外し不能に内蔵された請求項１〜請求項８の何れか１項に記載のテープ記録媒体と、
走行する前記記録テープに接触しながら該記録テープに対して情報の書き込み及び読み出しの少なくとも一方を行うヘッドと、
前記露出部が前記ヘッドのテープ幅方向における一部を露出させている状態で、該ヘッドをクリーニングするクリーニング部材と、
を有するドライブ装置。
【請求項１０】
前記クリーニング部材は、テープ幅方向に移動して前記ヘッドをクリーニングする請求項９に記載のドライブ装置。
【発明の詳細な説明】
【技術分野】
【０００１】
本発明は、テープ記録媒体と、それを備えたドライブ装置に関する。
【背景技術】
【０００２】
磁気テープ等の記録テープに対して情報の書き込みや読み出しを行うためのヘッドをクリーニング可能に構成されたドライブ装置は、従来から知られている（例えば、特開２００４−３０８８９号公報参照）。
【発明の概要】
【発明が解決しようとする課題】
【０００３】
しかしながら、特許文献１に記載のドライブ装置では、記録テープの走行経路とは別に、ヘッドをクリーニングするためのシールド部材の走行経路が必要であり、ヘッドをクリーニングする際には、記録テープの走行経路がシールド部材によって変えられてしまう。【０００４】
そこで、本発明は、記録テープの走行経路を変えることなく、ヘッドをクリーニングできるようにするテープ記録媒体と、それを備えたドライブ装置を得ることを目的とする。
【課題を解決するための手段】
【０００５】
上記の目的を達成するために、本発明に係る第１の態様のテープ記録媒体は、記録テープと、前記記録テープに接続され、該記録テープに対して情報の書き込み及び読み出しの少なくとも一方を行うヘッドのテープ幅方向における一部を露出させるための露出部が形成された露出用テープと、を備えたテープ部材と、前記テープ部材の自由端がそれぞれ接続されるとともに、該テープ部材を繰り出し及び巻き取り可能に保持した一対のリールと、を有する。【０００６】
本発明に係る第１の態様によれば、記録テープに接続された露出用テープに、ヘッドのテープ幅方向における一部を露出させる露出部が形成されている。したがって、その露出部をヘッドに位置させることにより、ヘッドをクリーニングすることができる。つまり、本発明によれば、記録テープの走行経路を変えることなく、ヘッドをクリーニングすることができる。【０００７】
また、本発明に係る第２の態様のテープ記録媒体は、第１の態様のテープ記録媒体であって、前記露出部は、前記ヘッドのテープ幅方向における両端部を露出させる切欠部で構成されている。【０００８】
本発明に係る第２の態様によれば、ヘッドのテープ幅方向における両端部をクリーニングすることができる。【０００９】
また、本発明に係る第３の態様のテープ記録媒体は、第１の態様のテープ記録媒体であって、前記露出部は、前記ヘッドのテープ幅方向における中央部を露出させる開口部で構成されている。【００１０】
本発明に係る第３の態様によれば、ヘッドのテープ幅方向における中央部をクリーニングすることができる。【００１１】
また、本発明に係る第４の態様のテープ記録媒体は、第１の態様のテープ記録媒体であって、前記露出部は、前記ヘッドのテープ幅方向における両端部を露出させる切欠部と、該切欠部とテープ長手方向にずれて形成され、前記ヘッドのテープ幅方向における中央部を露出させる開口部と、で構成されている。【００１２】
本発明に係る第４の態様によれば、ヘッドのテープ幅方向における表面全体をクリーニングすることができる。【００１３】
また、本発明に係る第５の態様のテープ記録媒体は、第１〜第４の何れかの態様のテープ記録媒体であって、前記露出用テープは、前記記録テープよりも厚く形成されている。【００１４】
本発明に係る第５の態様によれば、クリーニング部材でヘッドをクリーニングする際、そのクリーニング部材が露出用テープに接触しても、その露出用テープが切れるおそれがない。【００１５】
また、本発明に係る第６の態様のテープ記録媒体は、第１〜第５の何れかの態様のテープ記録媒体であって、前記露出用テープは、前記記録テープよりも弾性率が高い材料で構成されている。【００１６】
本発明に係る第６の態様によれば、クリーニング部材でヘッドをクリーニングする際、そのクリーニング部材が露出用テープに接触しても、その露出用テープが切れるおそれがない。【００１７】
また、本発明に係る第７の態様のテープ記録媒体は、第１第〜第６の何れかの態様のテープ記録媒体であって、前記露出用テープの両端に前記記録テープが接続されている。【００１８】
本発明に係る第７の態様によれば、露出用テープの露出部をヘッドに位置させるまでの記録テープの走行距離を短くすることができる。【００１９】
また、本発明に係る第８の態様のテープ記録媒体は、第１〜第７の何れかの態様のテープ記録媒体であって、前記露出用テープと前記記録テープとの間に保護テープが接続されている。【００２０】
本発明に係る第８の態様によれば、露出用テープの露出部の形状が記録テープに転写されるのを保護テープによって抑制又は防止することができる。【００２１】
また、本発明に係る第９の態様のドライブ装置は、装置本体に取り外し不能に内蔵された第１〜第８の何れかの態様のテープ記録媒体と、走行する前記記録テープに接触しながら該記録テープに対して情報の書き込み及び読み出しの少なくとも一方を行うヘッドと、前記露出部が前記ヘッドのテープ幅方向における一部を露出させている状態で、該ヘッドをクリーニングするクリーニング部材と、を有する。【００２２】
本発明に係る第９の態様によれば、一対のリールが取り外し不能に内蔵されたドライブ装置において、記録テープの走行経路を変えることなく、ヘッドをクリーニングすることができる。【００２３】
また、本発明に係る第１０の態様のドライブ装置は、第９の態様のドライブ装置であって、前記クリーニング部材は、テープ幅方向に移動して前記ヘッドをクリーニングする。【００２４】
本発明に係る第１０の態様によれば、クリーニング部材を設置するスペースが小さくて済む。
【発明の効果】
【００２５】
以上のように、本発明によれば、記録テープの走行経路を変えることなく、ヘッドをクリーニングすることができる。
【図面の簡単な説明】
【００２６】
【図１】ドライブ装置に取り外し不能に内蔵されたテープ記録媒体を示す斜視図
【図２Ａ】ヘッドのテープ幅方向両端部をクリーニングする場合を示す正面図
【図２Ｂ】ヘッドのテープ幅方向両端部をクリーニングする場合を示す側面図
【図３Ａ】ヘッドのテープ幅方向中央部をクリーニングする場合を示す正面図
【図３Ｂ】ヘッドのテープ幅方向中央部をクリーニングする場合を示す側面図
【図４】記録テープの間に露出用テープが接続されているテープ部材を示す斜視図
【図５】記録テープと露出用テープとの間に保護テープが接続されているテープ部材を示す斜視図
【発明を実施するための形態】
【００２７】
以下、本発明に係る実施の形態について、図面を基に詳細に説明する。なお、説明の便宜上、図１における矢印ＵＰを上方向、矢印ＤＯを下方向とし、本実施形態に係るリール１０、２０の回転軸方向を上下方向（高さ方向）とする。また、最初にリール１０、２０を含むテープ記録媒体３０が取り外し不能に設けられたドライブ装置５０の概要について説明し、次にそのテープ記録媒体３０の構成について詳細に説明する。
【００２８】
＜ドライブ装置の概要＞
本実施形態に係るリール１０、２０は、例えばポリカーボネート（ＰＣ）等の合成樹脂材料で同一形状に成形されている。そして、各リール１０、２０は、図１で示すように、ドライブ装置５０の装置本体としての筐体５２（図１では底板５４と３本の支柱５６のみが示されている）内に一対として設けられている。
【００２９】
リール１０は、情報記録再生媒体としての記録テープ（磁気テープ）Ｔの繰り出し用とされ、リール２０は、記録テープＴの巻き取り用とされており、リール１０から繰り出されて走行する記録テープＴが、リール２０に巻き取られつつ、記録テープＴに対してデータ（情報）の記録（書き込み）及び再生（読み出し）の少なくとも一方を行うヘッド６０に摺接するようになっている。
【００３０】
なお、ヘッド６０の両側における底板５４上には、複数個（図示のものは２個ずつで計４個）のテープガイド５８が回転自在に設けられており、リール１０から引き出され、リール２０に巻き取られる記録テープＴが、各テープガイド５８によって、ガイドされるようになっている。
【００３１】
また、各リール１０、２０は、天板１９、２９を有する短円筒状の軸心部１８、２８を回転中心側に備えた略円筒状のリールハブ１２、２２と、その上端部側に設けられる第１フランジとしての環状の上フランジ１４、２４と、その下端部側に設けられる第２フランジとしての環状の下フランジ１６、２６と、を含んで構成されている。
【００３２】
そして、リール１０におけるリールハブ１２の外周面には、記録テープＴが巻回されるようになっており、上フランジ１４及び下フランジ１６によって、巻回された記録テープＴの幅方向の端部（エッジ部）が保持されるようになっている。また、リール１０から繰り出された記録テープＴは、リール２０におけるリールハブ２２の外周面に巻回され、上フランジ２４及び下フランジ２６によって、その幅方向の端部（エッジ部）が保持されるようになっている。
【００３３】
なお、本実施形態における「略円筒状」には、記録テープＴが巻回される各リールハブ１２、２２の外周面（巻面）の形状が太鼓形状等に形成されている概ね円柱状であるもの、及び各リールハブ１２、２２の内周面側にリブ等が突設されている完全な円筒状ではない中空状であるものなども含まれる。
【００３４】
また、ドライブ装置５０には、駆動源としてのモーター（図示省略）が配置されており、そのモーターの回転軸（図示省略）から回転駆動力が伝達される一対の回転伝達部材（図示省略）が、ドライブ装置５０の筐体５２（底板５４）に形成された一対の開口部（図示省略）内にそれぞれ回転可能に設けられている。
【００３５】
そして、各リール１０、２０の軸心部１８、２８には、ビス孔部（図示省略）が周方向に形成されており、各リール１０、２０は、ビス４８をビス孔部に挿通して各回転伝達部材に螺合することにより、各回転伝達部材に一体的に締結固定されるようになっている。これにより、各リール１０、２０が、ドライブ装置５０の筐体５２内に取り外し不能に内蔵される構成になっている。
【００３６】
＜テープ記録媒体の構成＞
次に、記録テープＴと、記録テープＴの自由端に接続され、ヘッド６０をクリーニングする際に用いられる露出用テープ３２と、を備えたテープ部材３１が、リール１０とリール２０との間に巻き掛けられてなるテープ記録媒体３０の構成について詳細に説明する。
【００３７】
図１〜図３で示すように、このテープ記録媒体３０は、リール１０のリールハブ１２に一方の自由端が接続され、リール２０のリールハブ２２に他方の自由端が接続されたテープ部材３１を有している。このテープ部材３１は、記録テープＴを含んで構成されており、その記録テープＴの一方の自由端がリール１０のリールハブ１２に接続されて巻回されている。
【００３８】
また、このテープ部材３１は、記録テープＴの他方の自由端にスプライステープ３３（図４、図５参照）を介して一体的に（同じ経路を走行するように）接続された露出用テープ３２を含んで構成されており、その露出用テープ３２の自由端がリール２０のリールハブ２２に接続されている。そして、露出用テープ３２の中途部には、ヘッド６０に接触しつつ、ヘッド６０のテープ幅方向における一部を露出させるための露出部３４が形成されている。
【００３９】
詳細には、この露出部３４は、ヘッド６０のテープ幅方向における両端部を露出させる切欠部３６と、ヘッド６０のテープ幅方向における中央部を露出させる開口部３８と、を含んで構成されており、その切欠部３６と開口部３８とが、露出用テープ３２のテープ長手方向に並んで（ずれて）形成されている。
【００４０】
換言すれば、この露出用テープ３２は、開口部３８によって露出させるテープ幅方向中央部に接触して、その中央部を露出させないように被覆する中央連結部３２Ａと、切欠部３６によって露出させるヘッド６０のテープ幅方向両端部に接触して、その両端部を露出させないように被覆する両端連結部３２Ｂと、がテープ長手方向に並んで（ずれて）形成された形状に構成されている。
【００４１】
なお、この露出用テープ３２は、記録テープＴよりも剛性が高いことが望ましい。すなわち、この露出用テープ３２は、記録テープＴよりも弾性率が高い材料（例えばＰＥＴ、ＰＥＮ、アラミド等の樹脂材料）で形成されるか、又は記録テープＴより厚く形成されており、その耐久性（強度）が記録テープＴよりも高くなるように構成されている。これにより、中央連結部３２Ａ及び両端連結部３２Ｂに、後述するブラシ４０（起毛部４４）が摺接しても、その中央連結部３２Ａ及び両端連結部３２Ｂが摩耗して切れるおそれがないようになっている。
【００４２】
記録テープＴより厚い露出用テープ３２を使用する場合には、記録テープＴと接続される露出用テープ３２の一端（自由端）に、記録テープＴに向かってその厚みが漸減するようなテーパー加工が施されていてもよい。これによれば、スプライステープ３３による記録テープＴとの接合が確実になる一方、露出用テープ３２と記録テープＴとの接合部に顕著な段差が生じないので、安定した走行が可能となる。また、露出用テープ３２の表面に潤滑機能を有する層が設けられていてもよい。これにより、安定した走行が可能となる。
【００４３】
一方、ドライブ装置５０には、ヘッド６０を払拭してクリーニングするクリーニング部材としてのブラシ４０が設けられている。このブラシ４０は、テープ幅方向が長手方向とされた矩形ブロック状の本体部４２と、ヘッド６０の表面６０Ａを傷つけることのない比較的軟らかい樹脂製の毛が本体部４２のヘッド６０（表面６０Ａ）と対向する壁面に多数植設されてなる起毛部４４と、本体部４２の下部に固定された柱状の支持部４６と、を含んで構成されており、起毛部４４の幅（テープ走行方向の長さ）は、ヘッド６０の表面６０Ａの幅（テープ走行方向の長さ）以上とされている。
【００４４】
そして、このブラシ４０の起毛部４４は、ヘッド６０の表面６０Ａに対して接離可能に構成されている。すなわち、このブラシ４０の支持部４６は、起毛部４４が、ヘッド６０の表面６０Ａに対して非接触となる離隔位置と、ヘッド６０の表面６０Ａに対して接触する接触位置との間を、ソレノイドやピニオン・ラック等の図示しない公知の移動機構によって移動可能に構成されている。
【００４５】
そして、このブラシ４０の支持部４６は、ヘッド６０の表面６０Ａに対して起毛部４４が接触する接触位置において、ピニオン・ラック等の図示しない公知の昇降機構によって、ヘッド６０の表面６０Ａを傷つけることのない速度でテープ幅方向に往復移動可能に構成されている。これにより、起毛部４４が、切欠部３６又は開口部３８によって露出されたヘッド６０のテープ幅方向における一部を払拭できるようになっている。
【００４６】
＜テープ記録媒体の作用＞
以上のような構成のテープ部材３１を備えたテープ記録媒体３０において、次にその作用について説明する。
【００４７】
テープ部材３１の露出用テープ３２における中央連結部３２Ａ（切欠部３６）及び両端連結部３２Ｂ（開口部３８）の位置は、予めドライブ装置５０の図示しない制御部に記憶されている。したがって、ユーザーがドライブ装置５０の図示しない操作パネルを操作し、ヘッド６０のクリーニングを実行すると、リール１０及びリール２０が所定量同期して回転し、露出用テープ３２における切欠部３６又は開口部３８がヘッド６０の表面６０Ａに配置される。
【００４８】
例えば、先にヘッド６０のテープ幅方向における両端部がクリーニングされる場合には、上記操作により、リール１０及びリール２０が所定量同期して回転し、図２Ａで示すように、露出用テープ３２の中央連結部３２Ａ、即ち切欠部３６がヘッド６０の表面６０Ａに配置される。すると、移動機構によって、ブラシ４０（支持部４６）がヘッド６０に向かって移動し、図２Ｂで示すように、その表面６０Ａ（及び中央連結部３２Ａ）に起毛部４４が接触する。
【００４９】
そして、昇降機構によって、ブラシ４０（支持部４６）が所定回数上下方向に往復移動することにより、起毛部４４が、切欠部３６によって露出されているヘッド６０のテープ幅方向における両端部を払拭する。これにより、ヘッド６０のテープ幅方向における両端部がクリーニングされる。なお、そのクリーニング動作が終了したら、移動機構によって、ブラシ４０（支持部４６）がヘッド６０から離れる方向へ移動する。
【００５０】
次に、ヘッド６０のテープ幅方向における中央部をクリーニングする場合には、リール１０及びリール２０が所定量同期して（逆）回転し、図３Ａで示すように、露出用テープ３２の両端連結部３２Ｂ、即ち開口部３８がヘッド６０の表面６０Ａに配置される。すると、移動機構によって、ブラシ４０（支持部４６）がヘッド６０に向かって移動し、図３Ｂで示すように、その表面６０Ａ（及び両端連結部３２Ｂ）に起毛部４４が接触する。
【００５１】
そして、昇降機構によって、ブラシ４０（支持部４６）が所定回数上下方向に往復移動することにより、起毛部４４が、開口部３８によって露出されているヘッド６０のテープ幅方向における中央部を払拭する。これにより、ヘッド６０のテープ幅方向における中央部がクリーニングされる。なお、そのクリーニング動作が終了したら、移動機構によって、ブラシ４０（支持部４６）がヘッド６０から離れる方向へ移動する。
【００５２】
以上の動作により、ヘッド６０に対するクリーニングが完了するが、ヘッド６０に対するクリーニング制御は、ヘッド６０のテープ幅方向における両端部及び中央部の両方（表面６０Ａ全体）を毎回クリーニングする構成に限定されるものではない。例えばヘッド６０の表面６０Ａにおいて、記録テープＴのエッジ部により汚れが付着し易い部分、即ちテープ幅方向両端部のみを選択してクリーニングできる構成にしてもよい。
【００５３】
また、露出部３４（切欠部３６及び開口部３８）が形成された露出用テープ３２は、記録テープＴと一体的に接続されているため、記録テープＴの走行経路以外に、露出用テープ３２の走行経路を設ける必要がない。したがって、リール１０、２０が取り外し不能に内蔵され、常にテープ部材３１（記録テープＴ）がヘッド６０に接触した状態にあるドライブ装置５０において、テープ部材３１（記録テープＴ）の走行経路を変えることなく、ヘッド６０をクリーニングすることができる。
【００５４】
また、露出用テープ３２の中央連結部３２Ａ又は両端連結部３２Ｂは、ヘッド６０と共に起毛部４４に摺接されるが、露出用テープ３２は、記録テープＴよりも剛性が高くされている。すなわち、この露出用テープ３２は、記録テープＴよりも弾性率の高い材料で形成されるか、又は記録テープＴより厚く形成されている。
【００５５】
したがって、露出用テープ３２の中央連結部３２Ａ及び両端連結部３２Ｂに起毛部４４が摺接しても、その中央連結部３２Ａ及び両端連結部３２Ｂが摩耗して切れるようなおそれはない。また、記録テープＴと同一テンションが加わったときに、テープ幅の小さい中央連結部３２Ａや両端連結部３２Ｂだけが伸びてしまうという現象も抑制することができる。
【００５６】
また、露出用テープ３２は、その自由端がリール２０のリールハブ２２に接続される構成に限定されるものではない。すなわち、図４で示すように、記録テープＴと記録テープＴとの間に露出用テープ３２が接続される（露出用テープ３２の両端に記録テープＴが接続される）構成にしてもよい。これによれば、露出用テープ３２の露出部３４をヘッド６０に位置させるまでのテープ部材３１（記録テープＴ）の走行距離の平均値を、露出用テープ３２の自由端がリールハブ２２に接続される構成に比べて短くすることができる。
【００５７】
例えば、露出用テープ３２がテープ部材３１の中央部分に接続され、テープ部材３１の殆どがリール２０に巻回されている場合、露出用テープ３２の露出部３４をヘッド６０に位置させるまでのテープ部材３１（記録テープＴ）の走行距離（リール１０への巻き戻し長）は、露出用テープ３２の自由端がリール２０のリールハブ２２に接続されている構成に比べて略半分で済む。
【００５８】
また、図５で示すように、露出用テープ３２と記録テープＴとの間に保護テープ３９が接続される構成にしてもよい。これによれば、露出用テープ３２がリール１０又はリール２０に巻回されたときに、その露出用テープ３２の露出部３４（切欠部３６及び開口部３８）の形状が記録テープＴに転写されるのを、その保護テープ３９によって抑制又は防止することができる。
【００５９】
なお、保護テープ３９としては、例えば記録テープＴと同じ材料等で構成されたテープを採用することができる。また、保護テープ３９の長さは、露出用テープ３２がリール１０又はリール２０に巻回されたときに、その露出部３４の形状が記録テープＴに転写されるのを抑制又は防止できる程度の長さとされることは言うまでもない。
【００６０】
その他、露出用テープ３２とでヘッドクリーニング装置を構成するブラシ４０は、テープ幅方向に移動してヘッド６０の表面６０Ａを払拭する構成になっている。そのため、ドライブ装置５０において、ブラシ４０を設置するスペースが小さくて済む利点がある。
【００６１】
以上、本実施形態に係るテープ記録媒体３０及びドライブ装置５０について、図面を基に説明したが、本実施形態に係るテープ記録媒体３０及びドライブ装置５０は、図示のものに限定されるものではなく、本発明の要旨を逸脱しない範囲内において、適宜設計変更可能なものである。例えば、露出用テープ３２は、その自由端がリール１０のリールハブ１２に接続される構成になっていてもよい。
【００６２】
また、露出用テープ３２に形成される切欠部３６は、テープ幅方向で対向する位置に形成されるものに限定されるものではなく、テープ長手方向にずれて形成されていてもよい。つまり、露出用テープ３２に形成される露出部３４は、例えばヘッド６０のテープ幅方向一端部を露出させる切欠部３６と、テープ幅方向中央部を露出させる開口部３８と、テープ幅方向他端部を露出させる切欠部３６とが、露出用テープ３２のテープ長手方向に並んで形成されていてもよい。
【００６３】
また、露出用テープ３２が記録テープＴと同じ材料で構成されたテープとされ、そのテープの一部に、露出部３４（切欠部３６及び開口部３８）が形成されて、上記のように、ヘッド６０をクリーニングできるように構成されていてもよい。更に、クリーニング部材としては、ブラシ４０に限定されるものではなく、例えば不織布等であってもよい。また、そのクリーニング部材（ブラシ４０）は、交換可能に構成されていてもよい。
【００６４】
また、日本国特許出願ＮＯ．２０１２−１０１４４２の開示は、その全体が参照により本明細書に取り込まれる。本明細書に記載された全ての文献、特許出願、及び技術規格は、個々の文献、特許出願、及び技術規格が参照により取り込まれることが、具体的かつ個々に記載された場合と同程度に、本明細書中に参照により取り込まれる。
【図１】
2013161965.tif 000003
【図２Ａ】
2013161965.tif 000004
【図２Ｂ】
2013161965.tif 000005
【図３Ａ】
2013161965.tif 000006
【図３Ｂ】
2013161965.tif 000007
【図４】
2013161965.tif 000008
【図５】
2013161965.tif 000009
【国際調査報告】
2013161965.tif 000010
2013161965.tif 000011
2013161965.tif 000012